(57)【要約】【課題】  器具側から操作することにより、器具を被固定体に固定することができる固定具を提供する。【解決手段】  固定具は、貫通孔を有する被固定体に、器具を固定させる固定具であって、孔部を有し、器具が固定される第１本体と、第１本体から突出し、貫通孔に挿入される突出部と、雌ネジ部を有し、第１本体と協働して被固定体を挟む第２本体と、第１及び第２本体を被固定体に固定させるために、孔部と貫通孔とに挿入され、雌ネジ部と螺合する本体固定ボルトと、を備え、第２本体は、突出部に挿入される孔部を備える。【選択図】  図３
2019007577.tif 000002
【特許請求の範囲】
【請求項１】
貫通孔を有する被固定体に、器具を固定させる固定具であって、
孔部を有し、前記器具が固定される第１本体と、
前記第１本体から突出し、前記貫通孔に挿入される突出部と、
雌ネジ部を有し、前記第１本体と協働して前記被固定体を挟む第２本体と、
前記第１及び第２本体を前記被固定体に固定させるために、前記孔部に挿入され、前記雌ネジ部と螺合する本体固定ボルトと、を備え、
前記第２本体は、前記突出部に挿入される孔部を備える、固定具。
【請求項２】
前記器具を前記第１本体に固定させる器具固定ボルトを備え、
前記第１本体は、前記器具固定ボルトと協働して前記器具を固定するために、前記器具固定ボルトと螺合する雌ネジ部を備え、
前記突出部は、前記器具固定ボルトが前記第１本体から突出する部分で構成される、請求項１に記載の固定具。
【請求項３】
前記本体固定ボルトと前記器具固定ボルトとは、同じネジ形状である、請求項２に記載の固定具。
【発明の詳細な説明】
【技術分野】
【０００１】
本発明は、貫通孔を有する被固定体に、器具を固定させる固定具に関する。
【背景技術】
【０００２】
従来、固定具として、貫通孔を有する被固定体に、ボルトで、器具（部品、部材等も含む）を固定させる固定具が、知られている（例えば、特許文献１及び２）。斯かる固定具においては、器具を被固定体に固定する際に、器具と反対側からボルトを操作する必要がある。したがって、被固定体の構成や配置によっては、ボルトを操作し難いため、斯かる固定具を使用し難い場合があった。
【先行技術文献】
【特許文献】
【０００３】
【特許文献１】特開２０１１−１５８９９８号公報
【特許文献２】特開平７−１２７６１０号公報
【発明の概要】
【発明が解決しようとする課題】
【０００４】
そこで、課題は、器具側から操作することにより、器具を被固定体に固定することができる固定具を提供することである。
【課題を解決するための手段】
【０００５】
固定具は、貫通孔を有する被固定体に、器具を固定させる固定具であって、孔部を有し、前記器具が固定される第１本体と、前記第１本体から突出し、前記貫通孔に挿入される突出部と、雌ネジ部を有し、前記第１本体と協働して前記被固定体を挟む第２本体と、前記第１及び第２本体を前記被固定体に固定させるために、前記孔部に挿入され、前記雌ネジ部と螺合する本体固定ボルトと、を備え、前記第２本体は、前記突出部に挿入される孔部を備える。
【０００６】
また、固定具は、前記器具を前記第１本体に固定させる器具固定ボルトを備え、前記第１本体は、前記器具固定ボルトと協働して前記器具を固定するために、前記器具固定ボルトと螺合する雌ネジ部を備え、前記突出部は、前記器具固定ボルトが前記第１本体から突出する部分で構成される、という構成でもよい。
【０００７】
また、固定具においては、前記本体固定ボルトと前記器具固定ボルトとは、同じネジ形状である、という構成でもよい。
【発明の効果】
【０００８】
以上の如く、固定具は、器具側から操作することにより、器具を被固定体に固定することができる、という優れた効果を奏する。
【図面の簡単な説明】
【０００９】
【図１】図１は、一実施形態に係る固定具を用いたエレベータかごの要部概要図である。
【図２】図２は、同実施形態に係る固定具の全体平面図である。
【図３】図３は、図２のIII−III線断面図である。
【図４】図４は、同実施形態に係る固定具の全体分解断面図である。
【図５】図５は、他の実施形態に係る固定具の全体平面図である。
【図６】図６は、さらに他の実施形態に係る固定具の全体断面図である。
【図７】図７は、さらに他の実施形態に係る固定具の全体断面図である。
【図８】図８は、さらに他の実施形態に係る固定具の全体平面図である。
【発明を実施するための形態】
【００１０】
以下、固定具における一実施形態について、図１〜図４を参照しながら説明する。なお、各図（図５〜図８も同様）において、図面の寸法比と実際の寸法比とは、必ずしも一致しておらず、また、各図面の間での寸法比も、必ずしも一致していない。
【００１１】
図１に示すように、本実施形態に係る固定具１は、エレベータかご（以下、単に「かご」ともいう）１０の照明装置１１に備えられている。かご１０は、上面１０ａと、四つの側面（図１においては、１つのみ図示している）１０ｂと、下面（図１においては、図示していない）とを備えており、直方体状の箱状に形成されている。なお、図示していないが、エレベータは、一端部がかご１０に接続されるロープと、ロープの他端部に接続される釣合錘と、ロープを駆動してかご１０を昇降させる巻上機とを備えている。
【００１２】
照明装置１１は、かご１０のうち、上面１０ａと側面１０ｂとで形成される角部、即ち、かご１０の上隅部に配置されている。そして、照明装置１１は、発光する管状のランプ１２と、ランプ１２を取り付ける取付器具（以下、単に「器具」という）１３とを備えている。そして、照明装置１１は、器具１３が固定される被固定体１４と、被固定体１４に器具１３を固定する固定具１とを備えている。また、照明装置１１は、ランプ１２、器具１３、被固定体１４、及び固定具１を覆うカバー体１５を備えている。
【００１３】
カバー体１５は、上面１０ａ及び側面１０ｂのそれぞれに対して、隙間２０を有して（離れて）配置されていると共に、傾斜して交差するように配置されている。例えば、隙間２０は、５０ｍｍ〜１５０ｍｍ（例えば、１００ｍｍ）の空間であり、手が入る程度の空間である。なお、器具１３は、被固定体１４に対して、隙間２０側に配置されている。
【００１４】
そして、ランプ１２から発せられた光は、上面１０ａ及び側面１０ｂ等で反射し、隙間２０を通過して、かご１０の内部を照射する。即ち、本実施形態においては、照明装置１１は、間接照明方式の装置である。なお、カバー体１５は、図示していない部材により、エレベータかご１０（上面１０ａ、側面１０ｂ）に固定されている。
【００１５】
被固定体１４は、平板状に形成されている。そして、被固定体１４の基端部は、カバー体１５に固定されている。上方側の被固定体１４は、カバー体１５から側面１０ｂに向けて突出するように（横方向Ｄ１に延びるように）、配置されており、下方側の被固定体１４は、カバー体１５から上面１０ａに向けて突出するように（上下方向Ｄ３に延びるように）、配置されている。
【００１６】
そして、器具１３が被固定体１４に固定される位置は、被固定体１４が突出する方向で、変更可能である。具体的には、上方側の器具１３が被固定体１４に固定される位置は、横方向Ｄ１で変更可能であり、下方側の器具１３が被固定体１４に固定される位置は、上下方向Ｄ３で変更可能である。
【００１７】
図２〜図４は、図１における上方側の被固定体１４、器具１３、及び固定具１を図示している。図２〜図４に示すように、被固定体１４は、１つの貫通孔１４ａを備えている。貫通孔１４ａは、被固定体１４が突出する方向Ｄ１に延びる長穴形状に形成されている。
【００１８】
器具１３は、ランプ１２を挟んで保持する弾性の保持部１３ａと、固定具１により被固定体１４に固定される平板状のベース部１３ｂとを備えている。なお、ベース部１３ｂは、孔部１３ｃを備えている。
【００１９】
固定具１は、被固定体１４を厚み方向Ｄ３で挟む第１本体２及び第２本体３を備えている。そして、固定具１は、器具１３を第１本体２に固定させる器具固定ボルト４と、第１本体２及び第２本体３を被固定体１４に固定させる本体固定ボルト５とを備えている。また、固定具１は、本体固定ボルト５と第１本体２との間に配置される座金（例えば、平座金及びバネ座金）６を備えている。なお、座金６は、備えられていなくてもよく、また、器具固定ボルト４と器具１３との間に備えられていてもよい。
【００２０】
器具固定ボルト４は、雄ネジ部４ａと、雄ネジ部４ａよりも大きい幅を有し、人に操作される頭部４ｂとを備えている。また、本体固定ボルト５は、雄ネジ部５ａと、雄ネジ部５ａよりも大きい幅を有し、人に操作される頭部５ｂとを備えている。
【００２１】
そして、器具固定ボルト４と本体固定ボルト５とは、同じネジ形状である。具体的には、器具固定ボルト４の雄ネジ部４ａのネジ形状（ネジ径及びネジピッチ）は、本体固定ボルト５の雄ネジ部５ａのネジ形状（ネジ径及びネジピッチ）と、同じ形状である。本実施形態においては、器具固定ボルト４と本体固定ボルト５とは、同じ部品である。これにより、器具固定ボルト４を本体固定ボルト５として使用することができ、また、本体固定ボルト５を器具固定ボルト４として使用することができる。
【００２２】
即ち、器具固定ボルト４と本体固定ボルト５とが互いに代用可能である、という効果があるため、例えば、部品点数を少なくすることができたり、部品の誤使用を抑制することができたりする。なお、器具固定ボルト４と本体固定ボルト５とは、完全に同じ構成の部品でなくても（例えば、頭部４ｂ，５ｂの形状が異なったり、雄ネジ部４ａ，５ａの長さが異なったりしていても）、同様の効果を有する構成にすることは可能である。
【００２３】
第１本体２は、平板状に形成されており、第２本体３は、平板状に形成されている。また、第１本体２は、器具固定ボルト４の雄ネジ部４ａと螺合する雌ネジ部２ａを備えている。そして、器具固定ボルト４の雄ネジ部４ａが、器具１３のベース部１３ｂの孔部１３ｃに挿入した状態で、第１本体２の雌ネジ部２ａと螺合されている。これにより、器具１３のベース部１３ｂが、器具固定ボルト４の頭部４ｂと第１本体２とに挟み込まれるため、器具１３が、第１本体２に固定されている。
【００２４】
なお、器具１３が第１本体２に固定された状態において、器具固定ボルト４は、第１本体２から突出する突出部４ｃを備えており、該突出部４ｃは、雄ネジ部４ａの先端側の部分で構成されている。また、第２本体３は、器具固定ボルト４の雄ネジ部４ａ（突出部４ｃ）に挿入される孔部３ｂを備えており、該孔部３ｂは、器具固定ボルト４の雄ネジ部４ａ（突出部４ｃ）よりも大きく形成されている。そして、突出部４ｃは、被固定体１４の貫通孔１４ａと第２本体３の孔部３ｂとに挿入されている。
【００２５】
また、第１本体２は、本体固定ボルト５の雄ネジ部５ａに挿入される孔部２ｂを備えており、該孔部２ｂは、本体固定ボルト５の雄ネジ部５ａよりも大きく形成されている。そして、第２本体３は、本体固定ボルト５の雄ネジ部５ａと螺合する雌ネジ部３ａを備えている。これにより、第１本体２及び被固定体１４が、本体固定ボルト５の頭部５ｂと第２本体３とに挟み込まれるため、第１本体２及び第２本体３が、被固定体１４に固定されている。
【００２６】
そして、器具固定ボルト４の頭部４ｂは、被固定体１４に対して、器具１３側に配置されており、本体固定ボルト５の頭部５ｂは、被固定体１４に対して、器具１３側に配置されている。即ち、器具固定ボルト４の頭部４ｂと本体固定ボルト５の頭部５ｂとは、被固定体１４に対して、隙間２０（図２〜図４においては、図示していない）側に配置されている。また、本体固定ボルト５の頭部５ｂは、器具固定ボルト４の頭部４ｂに対して、隙間２０側に配置されている。
【００２７】
なお、器具固定ボルト４のネジ形状と本体固定ボルト５のネジ形状とが同じであるため、第１本体２の雌ネジ部２ａのネジ形状（ネジ径及びネジピッチ）は、第２本体３の雌ネジ部３ａのネジ形状（ネジ径及びネジピッチ）と同じである。本実施形態においては、第１本体２と第２本体３とは、同じ部品である。これにより、第１本体２を第２本体３として使用することができ、また、第２本体３を第１本体２として使用することができる。
【００２８】
即ち、第１本体２と第２本体３とは、互いに代用可能である、という効果があるため、例えば、部品点数を少なくすることができたり、部品の誤使用を抑制したりすることができる。なお、第１本体２と第２本体３とは、完全に同じ構成の部品でなくても（例えば、外縁の形状が異なったり、孔部２ｂ，３ｂの大きさがある程度異なったり、雌ネジ部２ａ，３ａと孔部２ｂ，３ｂとの位置関係がある程度異なったり、厚みが異なったりしていても）、同様の効果を有する構成にすることは可能である。
【００２９】
本実施形態に係る固定具１の構成については以上の通りであり、次に、本実施形態に係る固定具１による器具１３の固定方法の一例について説明する。なお、固定方法は、斯かる方法に限定されない。
【００３０】
まず、器具固定ボルト４の雄ネジ部４ａが、器具１３のベース部１３ｂの孔部１３ｃに挿入された状態で、器具固定ボルト４の雄ネジ部４ａを、第１本体２の雌ネジ部２ａに螺合させる。これにより、器具１３のベース部１３ｂが、器具固定ボルト４の頭部４ｂと第１本体２とに挟み込まれるため、器具１３が、第１本体２に固定される。
【００３１】
そして、隙間２０から手を入れて、突出部４ｃが被固定体１４の貫通孔１４ａに挿入するように、第１本体２を被固定体１４の一方側に配置し、また、突出部４ｃが第２本体３の孔部３ｂに挿入するように、第２本体３を被固定体１４の他方側に配置する。その後、本体固定ボルト５の雄ネジ部５ａが第１本体２の孔部２ｂ及び被固定体１４の貫通孔１４ａに挿入された状態で、本体固定ボルト５の雄ネジ部５ａを第２本体３の雌ネジ部３ａに螺合させる。
【００３２】
このとき、第１本体２及び第２本体３が被固定体１４に固定しない程度に、本体固定ボルト５の雄ネジ部５ａを第２本体３の雌ネジ部３ａに螺合させる。これにより、第１本体２及び第２本体３が被固定体１４に仮固定された状態となるため、手を離しても、第１本体２及び第２本体３は、被固定体１４から脱落しない。しかも、各雄ネジ部４ａ，５ａが被固定体１４の貫通孔１４ａにガイドされるため、第１本体２及び第２本体３を、被固定体１４に対して、貫通孔１４ａの延びる方向Ｄ１に沿ってスライドできる。
【００３３】
その後、第１本体２を被固定体１４に対して位置決めした状態で、本体固定ボルト５の頭部５ｂを操作する。このとき、第１本体２を被固定体１４に対して押し付けつつ、本体固定ボルト５の頭部５ｂを操作することで、第１本体２及び第２本体３が被固定体１４に仮固定された後については、器具１３側からの操作だけとなる。これにより、隙間２０から手を入れて行う操作であっても、容易に行うことができる。
【００３４】
そして、本体固定ボルト５の雄ネジ部５ａが第２本体３の雌ネジ部３ａと螺合することに伴って、第２本体３が本体固定ボルト５と共回りしようとし、第１本体２も、本体固定ボルト５の頭部５ｂとの摩擦により共回りしようとする。このとき、突出部４ｃが被固定体１４の貫通孔１４ａに当たるため、第１本体２が本体固定ボルト５と共回りすることがない。
【００３５】
さらに、第２本体３の孔部３ｂが突出部４ｃに当たる。これにより、第２本体３が本体固定ボルト５と共回りすることがない。このように、第１本体２及び第２本体３が本体固定ボルト５と共回りすることなく、本体固定ボルト５を第２本体３の雌ネジ部３ａに螺合することができる。
【００３６】
したがって、本体固定ボルト５の頭部５ｂを操作するだけで、本体固定ボルト５の雄ネジ部５ａと第２本体３の雌ネジ部３ａとを螺合させることができるため、当該操作を容易に行うことができる。そして、第１本体２及び被固定体１４が、本体固定ボルト５の頭部５ｂと第２本体３とに挟み込まれることで、第１本体２及び第２本体３が被固定体１４に固定される。
【００３７】
なお、第１本体２及び第２本体３が被固定体１４に固定された後に、被固定体１４に対する器具１３の位置を変更したい場合には、本体固定ボルト５を緩めて、被固定体１４に対する第１本体２の位置を移動する。そして、再度、本体固定ボルト５を締めることで、被固定体１４に対する器具１３の位置を変更することができる。
【００３８】
したがって、器具１３側からの操作のみで、被固定体１４に対する器具１３の位置を変更することができる。これにより、例えば、斯かる操作が隙間２０から手を入れて行う操作であっても、当該操作を容易に行うことができる。
【００３９】
また、器具１３を交換したい場合には、例えば、ランプ１２を器具１３から取り外した後に、器具固定ボルト４を第１本体２から取り外すことで、器具１３を第１本体２から取り外す。そして、再度、器具固定ボルト４を第１本体２に取り付けて、器具１３を第１本体２に固定することで、器具１３を交換することができる。
【００４０】
したがって、器具１３側からの操作のみで、器具１３を交換することができる。これにより、例えば、斯かる操作が隙間２０から手を入れて行う操作であっても、当該操作を容易に行うことができる。そして、交換された器具１３にランプ１２が取り付けられる。
【００４１】
以上より、本実施形態に係る固定具１は、貫通孔１４ａを有する被固定体１４に、器具１３を固定させる固定具１であって、孔部２ｂを有し、前記器具１３が固定される第１本体２と、前記第１本体２から突出し、前記貫通孔１４ａに挿入される突出部４ｃと、雌ネジ部３ａを有し、前記第１本体２と協働して前記被固定体１４を挟む第２本体３と、前記第１及び第２本体２，３を前記被固定体１４に固定させるために、前記孔部２ｂに挿入され、前記雌ネジ部３ａと螺合する本体固定ボルト５と、を備え、前記第２本体３は、前記突出部４ｃに挿入される孔部３ｂを備える。
【００４２】
斯かる構成によれば、器具１３は、第１本体２に固定されており、第１本体２と第２本体３とは、協働して被固定体１４を挟んでいる。そして、本体固定ボルト５は、第１本体２の孔部２ｂに挿入され、第２本体３の雌ネジ部３ａと螺合している。これにより、第１及び第２本体２，３が被固定体１４に固定されるため、器具１３が被固定体１４に固定される。このとき、器具１３側から本体固定ボルト５を操作することにより、器具１３を被固定体１４に固定することができる。
【００４３】
ところで、突出部４ｃは、第１本体２から突出し、被固定体１４の貫通孔１４ａに挿入され、さらに、第２本体３の孔部３ｂに挿入されている。これにより、本体固定ボルト５が第２本体３の雌ネジ部３ａと螺合することに伴って、第２本体３が本体固定ボルト５と共回りしようとする際に、第２本体３の孔部３ｂが突出部４ｃに当たり、突出部４ｃが被固定体１４の貫通孔１４ａに当たる。したがって、第２本体３が本体固定ボルト５と共回りすることを抑制することができる。
【００４４】
また、本実施形態に係る固定具１は、前記器具１３を前記第１本体２に固定させる器具固定ボルト４を備え、前記第１本体２は、前記器具固定ボルト４と協働して前記器具１３を固定するために、前記器具固定ボルト４と螺合する雌ネジ部２ａを備え、前記突出部４ｃは、前記器具固定ボルト４が前記第１本体２から突出する部分で構成される、という構成でもよい。
【００４５】
斯かる構成によれば、器具固定ボルト４が第１本体２の雌ネジ部２ａと螺合することで、第１本体２と器具固定ボルト４とが協働して器具１３を固定する。これにより、器具１３を第１本体２に固定させることができる。
【００４６】
そして、器具固定ボルト４が第１本体２から突出しており、当該突出する部分が、被固定体１４の貫通孔１４ａと第２本体３の孔部３ｂに挿入される突出部４ｃを、構成している。これにより、器具固定ボルト４は、器具１３を第１本体２に固定する機能と、被固定体１４の貫通孔１４ａと第２本体３の孔部３ｂに挿入される突出部４ｃを構成する機能とを備えている。
【００４７】
また、本実施形態に係る固定具１においては、前記本体固定ボルト５と前記器具固定ボルト４とは、同じネジ形状である、という構成である。
【００４８】
斯かる構成によれば、本体固定ボルト５と器具固定ボルト４とのネジ形状が同じであるため、本体固定ボルト５が第１本体２の雌ネジ部２ａと螺合することが可能であり、また、器具固定ボルト４が第２本体３の雌ネジ部３ａと螺合することが可能である。そして、第１本体２の雌ネジ部２ａと孔部２ｂとの距離と、第２本体３の雌ネジ部３ａと孔部３ｂとの距離が、一定（完全に同じだけでなく、略同じも含む）であるため、第１本体２を第２本体３として使用することが可能であり、第２本体３を第１本体２として使用することが可能である。
【００４９】
なお、固定具１は、上記した実施形態の構成に限定されるものではなく、また、上記した作用効果に限定されるものではない。また、固定具１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５０】
（１）上記実施形態に係る被固定体１４は、貫通孔１４ａを一つ備えている、という構成である。しかしながら、被固定体１４は、斯かる構成に限られない。例えば、図５に示すように、被固定体１４は、貫通孔１４ａ，１４ｂを複数備えている、という構成でもよい。図５に係る構成について、以下に説明する。
【００５１】
図５に係る複数の貫通孔１４ａ，１４ｂは、同じ方向Ｄ２に延びるように、即ち、延びる方向Ｄ２が平行となるように、配置されている。そして、一方の貫通孔１４ａは、器具固定ボルト４に挿入され、他方の貫通孔１４ｂは、本体固定ボルト５に挿入されている。そして、器具１３が被固定体１４に対する位置は、貫通孔１４ａ，１４ｂが延びる方向Ｄ２に、変更可能である。
【００５２】
（２）また、上記実施形態に係る固定具１は、一つの器具１３を被固定体１４に固定する、という構成である。しかしながら、固定具１は、斯かる構成に限られない。例えば、図６に示すように、固定具１は、複数の器具１３，１３を被固定体１４に固定する、という構成でもよい。図６に係る構成について、以下に説明する。
【００５３】
固定具１においては、第１本体２と第２本体３とは、互いに代用可能である、という構成である。例えば、第１本体２と第２本体３とは、同じ部品である。また、固定具１においては、各器具固定ボルト４と本体固定ボルト５とは、互いに代用可能である、という構成である。例えば、各器具固定ボルト４と本体固定ボルト５とは、同じ部品である。
【００５４】
第１本体２は、器具固定ボルト４に螺合される２つ（複数）の雌ネジ部２ａ，２ａと、本体固定ボルト５に挿入されるための２つの孔部２ｂ，２ｂとを備えている。また、第２本体３は、本体固定ボルト５に螺合されるための２つの雌ネジ部３ａ，３ａと、器具固定ボルト４に挿入される２つ（複数）の孔部３ｂ，３ｂとを備えている。
【００５５】
そして、各器具固定ボルト４が第１本体２の雌ネジ部２ａと螺合することで、器具１３が第１本体２に固定されている。また、本体固定ボルト５が、第１本体２の一方の孔部２ｂに挿入され、第２本体３の一方の雌ネジ部３ａと螺合することで、第１及び第２本体２，３が被固定体１４に固定されている。
【００５６】
なお、図６に係る構成において、第１本体２の孔部２ｂは、一つ備えられ、第２本体３の雌ネジ部３ａは、一つ備えられている、という構成でもよい。即ち、第１本体２と第２本体３とは、互いに代用できない、という構成でもよい
【００５７】
（３）また、上記実施形態に係る固定具１においては、器具固定ボルト４と本体固定ボルト５とは、代用可能である、という構成である。しかしながら、固定具１は、斯かる構成に限られない。例えば、器具固定ボルト４と本体固定ボルト５とは、異なるネジ形状であって、互いに代用できない、という構成でもよい。
【００５８】
また、例えば、図７に示すように、器具固定ボルト４は、頭部４ｂに連結される雄ネジ部４ａと、雄ネジ部４ａに連結されるネジのない柱部４ｄとを備えている、という構成でもよい。また、例えば、図７に示すように、本体固定ボルト５は、頭部５ｂに連結されるネジのない柱部５ｃと、柱部５ｃに連結される雄ネジ部５ａとを備えている、という構成でもよい。
【００５９】
（４）また、上記実施形態に係る固定具１においては、第１本体２と第２本体３とは、代用可能である、という構成である。しかしながら、固定具１は、斯かる構成に限られない。例えば、第１本体２の雌ネジ部２ａと第２本体３の雌ネジ部３ａは、異なるネジ形状であって、第１本体２と第２本体３とは、互いに代用できない、という構成でもよい
【００６０】
（５）また、上記実施形態に係る固定具１においては、突出部４ｃは、器具固定ボルト４が第１本体２から突出する部分で構成される、という構成である。しかしながら、固定具１は、斯かる構成に限られない。例えば、器具１３を第１本体２に固定する部材と、突出部４ｃを構成する部材とは、別部材であって、突出部４ｃは、第１本体２に円柱形状の部材を固定して構成される、という構成でもよい。
【００６１】
（６）また、上記実施形態に係る固定具１においては、本体固定ボルト５は、第１本体２の孔部２ｂと被固定体１４の貫通孔１４ａとに挿入されている、という構成である。しかしながら、固定具１は、斯かる構成に限られない。例えば、図８に示すように、本体固定ボルト５，５は、第１本体２の孔部２ｂ，２ｂ（図８において、孔部２ｂは図示していない）に挿入され、被固定体１４よりも外側に配置されている、という構成でもよい。
【００６２】
（７）また、上記実施形態に係る固定具１においては、第１本体２と器具固定ボルト４とが器具１３を挟むことで、器具１３が第１本体２に固定されている、という構成である。しかしながら、固定具１は、斯かる構成に限られない。例えば、器具１３が器具固定ボルト４に連結されており、器具固定ボルト４が第１本体２と螺合することで、器具１３が第１本体２に固定されている、という構成でもよい。
【００６３】
（８）また、上記実施形態に係る固定具１は、エレベータかご１０の内部のランプ１２を取り付ける取付器具１３を被固定体１４に固定する、という構成である。しかしながら、固定具１は、斯かる構成に限られない。例えば、固定具１は、エレベータかご１０の内部の手すりを側面１０ｂに固定する、という構成、即ち、器具が手すりであって、被固定体が側面１０ｂである、という構成でもよい。
【００６４】
また、固定具１が固定する器具、及び、固定具１により器具が固定される被固定体は、斯かる構成に限られない。例えば、器具は、センサ等の部品であって、被固定体は、部品よりも大きな装置本体である、という構成でもよい。要するに、固定具１が適用される分野は、エレベータに限られない。
【符号の説明】
【００６５】
１…固定具、２…第１本体、２ａ…雌ネジ部、２ｂ…孔部、３…第２本体、３ａ…雌ネジ部、３ｂ…孔部、４…器具固定ボルト、４ａ…雄ネジ部、４ｂ…頭部、４ｃ…突出部、４ｄ…柱部、５…本体固定ボルト、５ａ…雄ネジ部、５ｂ…頭部、５ｃ…柱部、６…座金、１０…エレベータかご、１０ａ…上面、１０ｂ…側面、１１…照明装置、１２…ランプ、１３…器具（取付器具）、１３ａ…保持部、１３ｂ…ベース部、１３ｃ…孔部、１４…被固定体、１４ａ…貫通孔、１４ｂ…貫通孔、１５…カバー体、２０…隙間
【図１】
2019007577.tif 000003
【図２】
2019007577.tif 000004
【図３】
2019007577.tif 000005
【図４】
2019007577.tif 000006
【図５】
2019007577.tif 000007
【図６】
2019007577.tif 000008
【図７】
2019007577.tif 000009
【図８】
2019007577.tif 000010